(57)【要約】【課題】  ファクシミリの発信処理において、どのような設置環境であっても、サービスマン等の手を煩わすことなく、適切に発信処理することができるファクシミリ装置およびファクシミリ装置の制御方法を提供するものである。【解決手段】  選択信号を送出する前に計時手段を設ける第１方式と、発信音を検出した後に選択信号を送出する第２方式の２種類の自動発信手段を具備し、どちらの方式を使用するかについて、ユーザが登録する操作手段を具備するファクシミリ装置およびファクシミリ装置の制御方法である。【選択図】  図１
2006101361.tif 000002
【特許請求の範囲】
【請求項１】
宛先に自動発信するファクシミリ装置において、
選択信号を送出する前に計時手段を設ける第１方式と、発信音を検出した後に、選択信号を送出する第２方式とを具備する自動発信手段と；
上記第１方式、上記第２方式のうちのいずれを使用するかを、ユーザが登録するための操作手段と；
上記第２方式において、回線から受信した様々な種類の発信音を検出できる周波数帯域を持つ第１周波数成分検出手段と；
上記第１周波数成分検出手段の周波数帯域以外の信号を検出する第２周波数成分検出手段と；
上記ファクシミリ装置で自動発信するときに、上記第１方式が登録されていれば、回線を閉結した後に、第１規定時間を計時する第１計時手段と；
上記第１計時手段が上記第１規定時間を計時すると、選択信号を送出する選択信号送出手段と；
回線から入力される信号に対して、上記第１周波数成分検出手段のみがＯＮになる信号を検出したときに、発信音と同じ周波数を持った信号であると判断し、上記第１周波数成分検出手段のみがＯＮになっている時間を計測する第２計時手段と；
上記第２方式が登録されていれば、回線を閉結した後に、上記第１周波数成分検出手段と上記第２周波数成分検出手段とに、周波数成分を検出させ、上記第２計時手段で計測された時間が、第２規定時間以上であれば、有効な発信音を検出したと判断し、上記選択信号送出手段に選択信号を送出させ、ファクシミリ通信手順を用いて、相手機へ送信し、一方、発信音を検出できなければ、その旨をエラー表示手段に表示させ、その通信を中止する制御手段と；
を有することを特徴とするファクシミリ装置。
【請求項２】
請求項１において、
第３規定時間を計時する第３計時手段を有し、
上記制御手段は、上記第２計時手段が第２規定時間以上を計時したら、発信音を１回検出したものと判断し、上記第２計時手段による計時が満了するまで、発信音の検出処理を繰り返し、規定回数に達したら、有効な発信音であると判断し、上記第３計時手段を開始し、上記第３計時手段が第３規定時間に達するか、または、上記第２計時手段が第２規定時間に達したら、上記選択信号送出手段に選択信号を送出し、上記ファクシミリ通信手順を用いて、相手機へ送信し、一方、有効な発信音を検出できなかったら、その旨をエラー表示手段に表示させ、通信を中止する手段であることを特徴とするファクシミリ装置。
【請求項３】
宛先に自動発信するファクシミリ装置の制御方法において、
選択信号を送出する前に計時手段を設ける第１方式、発信音を検出した後に、選択信号を送出する第２方式のうちのいずれの方式を使用するかを、ユーザが登録する工程と；
上記ファクシミリ装置で自動発信するときに、上記第１方式が登録されていれば、回線を閉結した後に、第１計時手段が第１規定時間を計時する工程と；
上記第１計時手段が上記第１規定時間を計時すると、選択信号送出手段が選択信号を送出する工程と；
回線から入力される信号に対して、上記第２方式において、回線から受信した様々な種類の発信音を検出できる周波数帯域を持つ第１周波数成分検出手段のみがＯＮになる信号を検出したときに、発信音と同じ周波数を持った信号であると判断し、上記第１周波数成分検出手段のみがＯＮになっている時間を第２計時手段が計測する工程と；
上記第２方式が登録されていれば、回線を閉結した後に、上記第１周波数成分検出手段と、上記第１周波数成分検出手段の周波数帯域以外の信号を検出する第２周波数成分検出手段とに、周波数成分を検出させ、上記第２計時手段で計測された時間が、第２規定時間以上であれば、有効な発信音を検出したと判断し、上記選択信号送出手段に選択信号を送出させ、ファクシミリ通信手順を用いて、相手機へ送信し、一方、発信音を検出できなければ、その旨をエラー表示手段に表示させ、その通信を中止する制御工程と；
を有することを特徴とするファクシミリ装置の制御方法。
【発明の詳細な説明】
【技術分野】
【０００１】
本発明は、公衆回線だけでなく、構内交換設備やＡＤＳＬモデム等に接続することができる手段と、画像・音声等を自動的に発信する手段とを有するファクシミリ装置およびその制御装置に関するものである。
【背景技術】
【０００２】
従来、ファクシミリで画像を送信する場合、回線を閉結した後であって、選択信号を送出する前に、回線からの発信音の有無を検出し、発信音を検出すると、選択信号を送出してから公知のファクシミリ通信手段で送信する（たとえば、特許文献１参照）。
【０００３】
公衆回線（ＮＴＴ（登録商標））の発信音は、４００Ｈｚの連続信号であり、ファクシミリは、４００±１５Ｈｚの信号を１秒程度検出できる機能をもっていれば足りる。
【０００４】
私設の構内交換設備にあっては、その発信音は、公衆回線のものとは必ずしも同じでないので、サービスマンがファクシミリ装置を設置する際に、メンテナンスモードで、発信音の検出用のパラメータを変更する等して対処している。
【特許文献１】特開２００４−１１２３６５号公報
【発明の開示】
【発明が解決しようとする課題】
【０００５】
しかし、私設の構内交換設備にあっては、その発信音が、公衆回線のものとは必ずしも同じではないので、サービスマンがファクシミリ装置を設置する際に、メンテナンスモードで、発信音の検出用のパラメータを変更する等して対処する。また、ＡＤＳＬモデム等に接続されている場合も、ＡＤＳＬモデムの発信音は、公衆回線のものとは必ずしも同じではないので、ＦＡＸ送信において、うまく発信することができないときに、サービスセンタのサポートが必要になり、サービスセンタのサポートを要請することは煩雑であるという問題がある。
【０００６】
本発明は、ファクシミリの発信処理において、どのような設置環境であっても、サービスマン等の手を煩わすことなく、適切に発信処理することができるファクシミリ装置およびファクシミリ装置の制御方法を提供するものである。
【課題を解決するための手段】
【０００７】
本発明は、宛先に自動発信するファクシミリ装置において、選択信号を送出する前に計時手段を設ける第１方式と、発信音を検出した後に、選択信号を送出する第２方式とを具備する自動発信手段と、上記第１方式、上記第２方式のうちのいずれを使用するかを、ユーザが登録するための操作手段と、上記第２方式において回線から受信した様々な種類の発信音を検出できる周波数帯域を持つ第１周波数成分検出手段と、上記第１周波数成分検出手段の周波数帯域以外の信号を検出する第２周波数成分検出手段と、上記ファクシミリ装置で自動発信するときに、上記第１方式が登録されていれば、回線を閉結した後に、第１規定時間を計時する第１計時手段と、上記第１計時手段が上記第１規定時間を計時すると、選択信号を送出する選択信号送出手段と、回線から入力される信号に対して、上記第１周波数成分検出手段のみがＯＮになる信号を検出したときに、発信音と同じ周波数を持った信号であると判断し、上記第１周波数成分検出手段のみがＯＮになっている時間を計測する第２計時手段と、上記第２方式が登録されていれば、回線を閉結した後に、上記第１周波数成分検出手段と上記第２周波数成分検出手段とに周波数成分を検出させ、上記第２計時手段で計測された時間が、第２規定時間以上であれば、有効な発信音を検出したと判断し、上記選択信号送出手段に選択信号を送出させ、ファクシミリ通信手順を用いて、相手機へ送信し、一方、発信音を検出できなければ、その旨をエラー表示手段に表示させ、その通信を中止する制御手段とを有するファクシミリ装置である。
【０００８】
この場合、第３規定時間を計時する第３計時手段を有し、上記制御手段は、上記第２計時手段が第２規定時間以上を計時したら、発信音を１回検出したものと判断し、上記第２計時手段による計時が満了するまで、発信音の検出処理を繰り返し、規定回数に達したら、有効な発信音であると判断し、上記第３計時手段を開始し、上記第３計時手段が第３規定時間に達するか、または、上記第２計時手段が第２規定時間に達したら、上記選択信号送出手段に選択信号を送出し、上記ファクシミリ通信手順を用いて、相手機へ送信し、一方、有効な発信音を検出できなかったら、その旨をエラー表示手段に表示させ、通信を中止する手段である。
【０００９】
また、本発明は、宛先に自動発信するファクシミリ装置の制御方法において、選択信号を送出する前に計時手段を設ける第１方式、発信音を検出した後に、選択信号を送出する第２方式のうちのいずれの方式を使用するかを、ユーザが登録する工程と、上記ファクシミリ装置で自動発信するときに、上記第１方式が登録されていれば、回線を閉結した後に、第１計時手段が第１規定時間を計時する工程と、上記第１計時手段が上記第１規定時間を計時すると、選択信号送出手段が選択信号を送出する工程と、回線から入力される信号に対して、上記第２方式において、回線から受信した様々な種類の発信音を検出できる周波数帯域を持つ第１周波数成分検出手段のみがＯＮになる信号を検出したときに、発信音と同じ周波数を持った信号であると判断し、上記第１周波数成分検出手段のみがＯＮになっている時間を第２計時手段が計測する工程と、上記第２方式が登録されていれば、回線を閉結した後に、上記第１周波数成分検出手段と、上記第１周波数成分検出手段の周波数帯域以外の信号を検出する第２周波数成分検出手段とに、周波数成分を検出させ、上記第２計時手段で計測された時間が、第２規定時間以上であれば、有効な発信音を検出したと判断し、上記選択信号送出手段に選択信号を送出させ、ファクシミリ通信手順を用いて、相手機へ送信し、一方、発信音を検出できなければ、その旨をエラー表示手段に表示させ、その通信を中止する制御工程とを有するファクシミリ装置の制御方法である。
【発明の効果】
【００１０】
本発明において、公衆回線の４００Ｈｚの発信音だけでなく、ＡＤＳＬモデムや構内交換設備のさまざまな発信音に対応する広い周波数帯域のフィルタを持ち、また、特殊な設置環境等の理由で、発信音の検出が難しい場合でも、ユーザによる簡単な操作によって、発信音検出機能を無効にすることができ、したがって、難しい発信音検出パラメータの調整をサービスマンに依頼する必要がなく、ユーザは自分の好みにあった設定をすることができるという効果を奏する。
【発明を実施するための最良の形態】
【００１１】
発明を実施するための最良の形態は、次の実施例である。
【実施例１】
【００１２】
図１は、本発明の実施例１であるファクシミリ装置ＦＳ１の構成例を示すブロック図である。
【００１３】
ファクシミリ装置ＦＳ１は、読取部１と、画像記憶部２と、符号化／復号化部３と、記録部４と、操作部５と、中央処理部６と、回線制御部７と、回線ケーブル８と、配線９とを有する。
【００１４】
読取部１は、原稿を読み取る。画像記憶部２は、読み取った原稿を記憶する。符号化／復号化部３は、原稿を送信する際に、読み取った画像データをＭHやＭＲに符号化し、符号化された状態で受信した画像データを復号化する。記録部４は、復号化された画像データを紙に記録する。
【００１５】
操作部５は、ユーザが送信操作、登録操作等、様々な操作を行う場合に使用し、テンキー等の押しボタンスイッチ、液晶ディスプレー５１等を有する。
【００１６】
中央処理部６は、ＣＰＵ６１と、ＲＯＭ６２と、ＲＡＭ６３と、タイマ用ＩＣ６４とを有する。
【００１７】
ＣＰＵ６１は、ファクシミリが動作するためのプログラムを実行する。ＲＯＭ６２は、ファクシミリ装置ＦＳ１のプログラムを記憶している。ＲＡＭ６３は、ＣＰＵ６１が動作するときのワークエリアとして使用される半導体のＲＡＭであり、このＲＡＭ６４の一部は、宛先情報や登録情報を保持するためにバッテリによってバックアップされている。タイマ用ＩＣ６４は、カレンダー表示等に使用される。
【００１８】
回線制御部７は、外部ファクシミリとの間で通信し、モデムやダイヤリングのためのリレー等を有する。回線ケーブル８は、回線制御部７に接続される。配線９は、各部を接続する。
【００１９】
図２は、操作部５を示す外観図である。
【００２０】
操作部５は、液晶ディスプレー（ＬＣＤ）５１と、テンキー５２と、機能キー５３と、マルチキー５４と、セットキー５５と、十字キー５６とを有する。十字キー５６は、上下左右の方向に押下できる。
【００２１】
次に、実施例１において、自動発信の方式をユーザが登録する動作について説明する。
【００２２】
図３は、液晶ディスプレー５１の画面例を示す図である。
【００２３】
ファクシミリ装置ＦＳ１は、待機中、液晶ディスプレー５１は、図３（１）に示す時刻画面で時刻を表示している。ユーザが自動発信方式を変更する場合、機能キー５３を押下する。これによって、図３（２）に示すメニュー画面を表示する。
【００２４】
終了キー（Ｆ４キー）５４が押下されると、図３（１）に示す時刻画面を表示し、待機状態に戻る。
【００２５】
十字キー５６を押下し、初期設定を選択し、セットキー５５を押下すると、図３（３）に示す初期設定画面（サブメニュー画面）を表示する。
【００２６】
自動発信の方式を登録する場合、図３（３）に示す初期設定画面において、十字キー５６で、「回線検出」を選択し、セットキー５５を押下すると、液晶ディスプレー５１は、図３（４）に示す初期画面を表示する。
【００２７】
図３（４）に示す初期画面における「回線検出」において「しない」は、自動発信の第１方式を意味し、初期画面における「回線検出」において「する」は、自動発信の第２方式を意味する。
【００２８】
図３（４）に示す初期画面では、「する」（自動発信の第２方式）が２重丸でマークされ、この２重丸でマークされている自動発信の第２方式が、登録されていることを示す。
【００２９】
十字キー５６を上下することによって、上記２重マークが入れ替わり、セットキー５５を押下すると、セットキー５５を押下する直前に２重マークが付されている方式が登録される。
【００３０】
自動発信方式の登録内容は、バッテリバックアップされているＲＡＭ６３に記憶されている。そして、図３（５）に示す初期画面において、「登録しました」を表示する。
【００３１】
図３（５）に示す初期画面を２秒間表示した後に、図３（１）に示す時刻画面を表示し、待機状態に戻る。
【００３２】
次に、ファクシミリ装置ＦＳ１における送信処理について説明する。
【００３３】
図４は、ファクシミリ装置ＦＳ１における送信処理を示すフローチャートである。
【００３４】
まず、ユーザは、ファクシミリ送信するために、原稿を読取部１にセットし、操作部５のテンキー等を使い、宛先のＦＡＸ番号を入力し、ＦＡＸ送信を指示する。
【００３５】
ファクシミリ装置ＦＳ１は、回線制御部７のリレーを切り替え、回線を閉結し（Ｓ１）、上記登録されている自動発信方式の登録値（方式）を、ＲＡＭ６３から読み出し（Ｓ２）、その値（方式）が第１方式であれば、Ｓ３へ進む。
【００３６】
図５は、ファクシミリ装置ＦＳ１における第１方式の処理（Ｓ３）の具体例を示すフローチャートである。
【００３７】
まず、Ｔ１（３．５秒）タイマを開始し（Ｓ１１）、タイマＴ１がタイムアウトすると（Ｓ１２）、戻る。
【００３８】
また、登録されている自動発信方式の登録値（方式）を、ＲＡＭ６３から読み出したときに（Ｓ２）、上記自動発信方式の登録値（方式）が第２方式であれば、Ｓ４へ進む。
【００３９】
図６は、ファクシミリ装置ＦＳ１における第２方式の処理（Ｓ２）の具体例を示すフローチャートである。
【００４０】
まず、回線制御部７のモデムに、第１フィルタ（第１周波数成分検出手段）、第２フィルタ（第２周波数成分検出手段）の２つのフィルタを設ける。
【００４１】
上記第１フィルタは、回線８から入力された発信音に対応する周波数帯域を検出し、実施例１では、検出する周波数帯域が、３５０Ｈｚ〜６６０Ｈｚに設定されている。公衆回線（ＮＴＴ（登録商標））であれば、４００Ｈｚ近辺のフィルタを構成すれば足りるが、ＡＤＳＬモデムや私設の交換設備に接続することも考慮し、周波数帯域を広くしてある。
【００４２】
上記第２フィルタは、上記第１フィルタ以外の帯域の信号を検出するフィルタであり、実施例１では、検出する周波数帯域が、１０００Ｈｚ〜１２００Ｈｚに設定される（Ｓ２１）。検出結果フラグを「未検出」とし（Ｓ２２）、検出回数を計数する検出回数カウンタを０にする（Ｓ２３）。
【００４３】
次に、タイマＴ１（３．５秒）のカウントを開始し（Ｓ２４）、タイマＴ２（１００ミリ秒）のカウントを開始する（Ｓ２５）。
【００４４】
タイマＴ１がタイムアウトすると（Ｓ２６）、有効な発信音を検出することができなかった場合であり、検出結果フラグが「未検出」のまま、図６に示す処理から抜ける（戻る）。タイマＴ１の時間以内であれば（Ｓ２６）、モデムから、第１フィルタと第２フィルタとの状態を読出す。
【００４５】
Ｓ２７では、上記第１フィルタのみがＯＮ（検出状態）になっている時間が、タイマＴ２の時間に達していなければ（Ｓ２７）、再度Ｓ２６に戻る。タイマＴ２の時間以上であれば（Ｓ２７）、発信音を１回検出したものと判断し、検出回数カウンタをインクリメントし（Ｓ２８）、タイマＴ２を開始し（Ｓ２９）、Ｓ３０に進む。
【００４６】
上記検出回数カウンタのカウント値が、規定回数（３回）未満であれば（Ｓ３０）、Ｓ２６に戻る。検出カウンタのカウント値が規定回数以上であれば（Ｓ３０）、有効な発信音を検出したと判断し、タイマＴ３（１秒間）のカウントを開始する（Ｓ３１）。
【００４７】
タイマＴ１、Ｔ３のどちらかがタイムアップすると（Ｓ３２、Ｓ３３）、検出結果フラグを「検出」とし（Ｓ３４）、戻る。
【００４８】
いろいろな発信音の検出を可能にするために、第１フィルタの周波数検出範囲を従来より、広くした。また、連続音、断続音の両方の発信音の検出を可能にするために、検出時間タイマＴ２のタイマ時間が、タイマＴ１のタイマ時間よりも、短く設定されている。つまり、上記実施例では、タイマＴ１のタイマ時間が３．５秒に設定され、タイマＴ２のタイマ時間は、１００ミリ秒に設定されている。
【００４９】
これらによる弊害として、発信音ではない音声信号を誤検出することが考えられるが、上記のように、第１フィルタ、第２フィルタを併用し、第１フィルタの周波数成分のみの信号を得ることと、検出回数カウンタがカウントすることにより、複数回検出することとによって、誤検出を防止することができる。
【００５０】
図４に示すフローチャートのＳ５に戻り、上記検出結果フラグが「未検出」であれば、操作部５の液晶ディスプレー５１に、回線からの発信音を検出できなかったことを示すエラーメッセージを表示し（Ｓ６）、ユーザに知らせる。
【００５１】
上記検出結果フラグが「検出」であれば（Ｓ５）、Ｓ７へ進む。また、Ｓ３の処理から抜けてきた場合もここへ進む。
【００５２】
Ｓ７では、上記入力されたＦＡＸ番号に応じて、公知の選択信号送出処理を行う。宛先のファクシミリ装置ＦＳ１へつながったら、公知のファクシミリ通信処理を行い（Ｓ８）、回線制御部７でリレーを制御することによって、回線を開放する（Ｓ９）。
【００５３】
なお、図４に示すフローチャートに対応するプログラムが、ＲＯＭ６２に記憶され、図５、図６に示すフローチャートに対応するプログラムも、ＲＯＭ６２に記憶されている。
【図面の簡単な説明】
【００５４】
【図１】本発明の実施例１であるファクシミリ装置ＦＳ１の構成例を示すブロック図である。
【図２】操作部５を示す外観図である。
【図３】液晶ディスプレー５１の画面例を示す図である。
【図４】ファクシミリ装置ＦＳ１における送信処理を示すフローチャートである。
【図５】ファクシミリ装置ＦＳ１における第１方式の処理（Ｓ３）の具体例を示すフローチャートである。
【図６】ファクシミリ装置ＦＳ１における第２方式の処理（Ｓ２）の具体例を示すフローチャートである。
【符号の説明】
【００５５】
ＦＳ１…ファクシミリ装置、
１…読取部、
２…画像記憶部、
３…符号化／復号化部、
４…記録部、
５…操作部、
５１…液晶ディスプレー、
５２…テンキー、
５３…機能キー、
５４…マルチキー、
５５…セットキー、
５６…十字キー、
６…中央処理部、
６１…ＣＰＵ、
６２…ＲＯＭ、
６３…ＲＡＭ、
６４…タイマ、
７…回線制御部。
【図１】
2006101361.tif 000003
【図２】
2006101361.tif 000004
【図３】
2006101361.tif 000005
【図４】
2006101361.tif 000006
【図５】
2006101361.tif 000007
【図６】
2006101361.tif 000008